(57)【要約】      （修正有）【課題】ニードルレス注射筒の挿入又は抜去時の薬液の漏れがなく、保護キャップの熱処理時における変形のない優れた弁体及びそれを収納するニードルレスＴ字管を提供する。【解決手段】弁体１１は、円筒からなり、上面１３は凹面状１３ａとなっている。上面１３の中央部には同心円状の円状凸部１２が形成されている。該円状凸部１２の上面には凹面１２ａを有する。また弁体１１の下面１４には外方向の曲面１４ａが形成されており、下面１４には中央部に同心円状に凹部１５を有している。更に上面１３及び下面１４はアーチ状かつ平行である。一方、ニードルレスＴ字管の弁体収納部の底面が中央部方向に低くなるように傾斜している。【選択図】図１
0003189330.tif 000002
【実用新案登録請求の範囲】
【請求項１】
円筒部及び該円筒部の上面の中央部に同心円状に円状凸部を有し、また前記円筒部の下面には同心円状の曲面部を有し、更に前記円状凸部の中央部にニードルレス注射器の挿入部を有する弁体において、前記上面及び前記上面の円状凸部の表面が中央部方向に傾斜した凹面を有すると共に、前記下面は中央部方向かつ外方向に傾斜した凸面を有することを特徴とする弁体。
【請求項２】
前記弁体の円筒部の上面の中央部方向に傾斜した凹面の傾斜と前記下面の中央部方向かつ外方向に傾斜した凸面の傾斜はアーチ状でありかつ厚さに対して略平行であることを特徴とする請求項１に記載の弁体。
【請求項３】
ニードルレスＴ字管に圧縮収納する前の弁体の大きさが、該Ｔ字管の収納部の内径に対して、前記弁体の円筒部の上面の円状凸部を除いた上面部が水平になる大きさであることを特徴とする請求項１に記載の弁体。
【請求項４】
本管と弁体収納部を有する側管とからなり、前記収納部の底面に本管に通じる流入孔を有するニードルレスＴ字管において、前記弁体収納部の底面が中央部方向に低くなるように傾斜していることを特徴とするニードルレスＴ字管。
【請求項５】
前記側管の開口部に、中央部に円孔を有する保護キャップを被せたニードルレスＴ字管において、該側管の弁体収納部に圧縮収納された弁体の円状凸部に嵌合して被せた保護キャップの表面と前記弁体の円状凸部の表面との境界に段差がなく、これら保護キャップの表面と弁体の円状凸部の表面が中央部方向に低くなるように傾斜して凹面となっていることを特徴とする請求項４に記載のニードルレスＴ字管。
【考案の詳細な説明】
【技術分野】
【０００１】
本考案は、弁体及びそれを収納したニードルレス混注管に関するもので、更に詳しくは、ニードルレス注射筒（以下、注射筒ともいう。）で薬液等を注入する際、液漏れ等の恐れもなく、またニードルレス注射筒に接続したアンプル用アダプターの挿入又は抜去時における液漏れ等の恐れもなく更には、保護キャップの熱処理時における変形のない優れた弁体及びそれを収納するニードルレスＴ字管に関するものである。
【背景技術】
【０００２】
従来知られている、薬液などを注入する混注部材、例えばニードルレス混注管、即ちニードルレスＴ字管の割弁収納部（本願では弁体収納部といい、符号１７で示す。）１０には、図６に示されるように、円筒形のゴム部材等の割弁（又はゴムボタン）８が内蔵されており、この割弁８の形状は、通常、円形であり、各種の構造を有しており、その中央には注射筒の挿入部９を有している。また図７には、従来の割弁とニードルレスＴ字管が示されており、図７のａは、フリーの割弁８ａと従来のニードルレスＴ字管１が示され、図７のｂには、割弁収納部１０に割弁８ａを圧縮収納したときの割弁形状８ｂが示されている。ニードルレスＴ字管１の割弁収納部（以下、収納部ともいう。）１０に割弁８ａを圧縮収納すると、外周が中央部に向かって圧縮応力がかかるので、割弁８ａは、割弁８ｂの如く上面８ｅ及び下面８ｈが外方向に膨らむ。また図７のｃに示されるように、割弁８ｃの形状が割弁８ｃの中央部が相互に内側に向かって上面に凹部８ｆ及び下面８ｇに凹部を有する形状の場合、ニードルレスＴ字管１に割弁８ｃを圧縮収納すると、図７のｄに示されるように、割弁８ｄの上面８ｅ及び下面８ｈが外方向に膨らむ。
【０００３】
図８は、従来のニードルレスＴ字管１の構造を示し、特に収納部１０の底面２４は水平面２０を有している。図９に示されるように、従来のニードルレスＴ字管１に割弁８ａを圧縮収納すると、圧縮収納割弁８ｂの上面８ｅ及び下面８ｈは、外方向に膨らんだ形状で収納される。その際、割弁８ｂの上面８ｅが盛り上がることにより、保護キャップ４の上面４ａも同様に外方向に膨らみ、更に該圧縮収納割弁８ｂの下面８ｈも外方向に膨らんで収納される。一方、本出願前に公開された特許公開公報（特許文献１）図１及び図２に示されるように、シール弁体（本願では割弁と称する。）１１が混注管に圧縮収納されている形状が示されており、更に図２（ａ）〜図２（ｄ）には、前記シール弁体１１の形状が示されている。このシール弁体１１は、その中央部はその内側１９および外側２０をそれぞれアーチ型凹部形状に形成されており、またシール弁体１１の外径１７は、当該円筒状壁部２０７の内径よりも大きくし、その外径１７の形状は、外方向に膨らんだ形状１８をなしていることも示されている（例えば、特許文献１参照）。
【先行技術文献】
【特許文献】
【０００４】
【特許文献１】特開２００３−３２５６７５号公報（公報第４頁段落００３１〜段落００３６、図１、図２）
【考案の概要】
【考案が解決しようとする課題】
【０００５】
しかしながら、図７及び図８に示されるような割弁及びニードルレスＴ字管では、圧縮収納し難く、作業性が悪いばかりでなく、割弁８ａ、８ｃ共に、割弁の上面８ｅ及び下面８ｈの如く外側方向に膨らみ、その結果スリットへの注射筒の挿入抵抗が増加し、注射筒の挿入に困難をきたす。更に保護キャップが変形（中央部方向に盛り上がる）しているので、滅菌処理などで熱処理により保護キャップがいっそう変形する等の問題があった。また図９に示されるように、割弁収納部１０の底面２４が水平面となっているため、割弁８ｂを圧縮収納すると、底面２４と割弁８ｈとの間に隙間２１が形成され、これにより圧縮応力が上向きはもちろんのこと、下向きにも作用して液漏れ等の原因となっていたばかりでなく圧縮収納しているので、熱処理時に保護キャップ４が膨らむ等問題となっていた。
【０００６】
更に前述の如き特許文献１に記載されている如きシール弁体、いわゆる弁体１１は、その中央部はその内側１９および外側２０をそれぞれアーチ型凹部形状に形成されていることにより、外周部１８が厚さ方向に圧縮され、かつ円筒状壁部２０７によって内径方向に圧縮されるので、弁体１１の中央部に大きな圧縮応力が作用する結果、注射器やニードルレス混注器の挿入・抜去に際し液漏れを防止することができるが、挿入する注射器径の範囲が限定されるので、注射器を挿入後、該注射器を前後左右に揺すったり、斜めに差し込んだりすると、液漏れする恐れがあり、今ひとつ十分ではないという問題があった。またＴ字管の寸法に対して、弁体の径を大きくしたり小さくしたりすることも考えられるが、弁体の径を大きくすると収納し難くなり、また小さくすると耐圧性能が劣るという問題があった。
【０００７】
そこで、本考案者等は、上記問題点について種々検討するなか、図７に示される如き従来の割弁（本願では弁体という。）の形状、更には従来のニードルレスＴ字管の構造について試行錯誤しながら検討し、弁体の形状を特定し、更にニードルレスＴ字管の構造、特に弁体収納部の底面を弁体の下面と整合させることにより、液漏れをすることなく、またシリンジの挿入又は抜去時における液漏れ等の恐れもなく更には、熱処理時における保護キャップの変形のない優れた弁体及びそれを収納するニードルレスＴ字管が得られることを見出し、ここに本考案を案出するに至った。
【０００８】
したがって、本考案が解決しようとする課題は、ニードルレス注射筒で薬液等を注入する際、液漏れ等の恐れもなく、またニードルレス注射筒に接続したアンプル用アダプターの挿入又は抜去時における液漏れ等の恐れもなく更には、保護キャップの熱処理時における変形のない優れた弁体及びそれを収納するニードルレスＴ字管を提供することにある。
【課題を解決するための手段】
【０００９】
本考案の上記各課題は、以下の各考案によって達成される。
【００１０】
（１）円筒部及び該円筒部の上面の中央部に同心円状に円状凸部を有し、また前記円筒部の下面には同心円状の曲面部を有し、更に前記円状凸部の中央部にニードルレス注射筒の挿入部を有する弁体において、前記上面及び前記上面の円状凸部の表面が中央部方向に傾斜した凹面を有すると共に、前記下面は中央部方向かつ外方向に傾斜した凸面を有することを特徴とする弁体。
（２）前記弁体の円筒部の上面の中央部方向に傾斜した凹面の傾斜と前記下面の中央部方向かつ外方向に傾斜した凸面の傾斜はアーチ状でありかつ厚さに対して略平行であることを特徴とする前記第１項に記載の弁体。
（３）ニードルレスＴ字管に圧縮収納する前の弁体の大きさが、該Ｔ字管の収納部の内径に対して、前記弁体の円筒部の上面の円状凸部を除いた上面部が水平になる大きさであることを特徴とする前記第１項に記載の弁体。
（４）本管と弁体収納部を有する側管とからなり、前記収納部の底面に本管に通じる流入孔を有するニードルレスＴ字管において、前記弁体収納部の底面が中央部方向に低くなるように傾斜していることを特徴とするニードルレスＴ字管。
（５）前記側管の開口部に、中央部に円孔を有する保護キャップを被せたニードルレスＴ字管において、該側管の弁体収納部に圧縮収納された弁体の円状凸部に嵌合して被せた保護キャップの表面と前記弁体の円状凸部の表面との境界に段差がなく、これら保護キャップの表面と弁体の円状凸部の表面が中央部方向に低くなるように傾斜して凹面となっていることを特徴とする前記第４項に記載のニードルレスＴ字管。
【考案の効果】
【００１１】
本考案の前記（１）に記載の弁体は、前記上面及び前記上面の円状凸部の表面が中央部方向に傾斜した凹面を有すると共に、前記下面は中央部方向かつ外方向に傾斜した凸面を有することにより、Ｔ字管の収納部に弁体を圧縮収納した状態で、ニードルレス注射筒の挿入又は抜去時に薬液の漏れのない弁体が得られるという優れた効果を奏するものである。更にその収納状態の上面が水平となり、かつ保護キャップを被せたとき、該保護キャップの天井面と密着すると共に、保護キャップの上面と円形状凸部の表面とが中央部方向に滑らかに傾斜した凹面が形成され、これによりニードルレス注射筒の抜去時に一部漏れた薬液が該凹部に溜り飛び散る等の弊害がないばかりでなく、その表面の拭き取りが容易になるという優れた効果を奏するものである。
【００１２】
本考案の前記（２）に記載の弁体は、前記第１項に記載の割弁において、前記割弁の円筒部の上面の中央部方向に傾斜した凹面の傾斜と前記下面の中央部方向かつ外方向に傾斜した凸面の傾斜はアーチ状でありかつ厚さに対して略平行であることにより、圧縮収納した弁体の応力は、中央部及び下面方向に向かって作用し、上面方向への応力はかからない。したがって、下面方向の変形応力は、収納部の底面が中央部方向に低くなるように傾斜している底面と弁体の下面が形成する中央部方向かつ外方向に傾斜した凸面とＴ字管の側面の摩擦抵抗で相殺される。このことはすなわち変形後も上面方向への応力は存在していないので、熱処理しても保護キャップの上面の変形はないという優れた効果を奏するものである。
【００１３】
本考案の前記（３）に記載の圧縮収納弁体は、前記第１項に記載の弁体において、ニードルレスＴ字管に圧縮収納する前の弁体の大きさが、該Ｔ字管の収納部の内径に対して、前記弁体の円筒部の上面の円状凸部を除いた上面部が水平になる大きさであることにより、保護キャップの下面の水平部と密着することができ、その結果保護キャップの下面に変形応力がかからないので、保護キャップの盛り上がりがなく、したがって、変形応力がかかることによる液漏れの恐れがないという優れた効果を奏するものである。
【００１４】
本考案の前記（４）に記載のニードルレスＴ字管は、本管と弁体収納部を有する側管とからなり、前記収納部の底面に本管に通じる流入孔を有するニードルレスＴ字管において、前記弁体収納部の底面が中央部方向に低くなるように傾斜していることにより、弁体の下面の中央部方向かつ外方向に傾斜した凸面と密着して収納することができる。したがって、無駄な変形応力がかかることがないので、液漏れがないという優れた効果を奏するものである。
【００１５】
本考案の前記（５）に記載のニードルレスＴ字管は、前記第４項に記載のニードルレスＴ字管であって、前記側管の開口部に、中央部に円孔を有する保護キャップを被せたニードルレスＴ字管において、該側管の弁体収納部に圧縮収納された弁体の円状凸部に嵌合して被せた保護キャップの表面と前記弁体の円状凸部の表面との境界に段差がなく、これら保護キャップの表面と弁体の円状凸部の表面が中央部方向に低くなるように傾斜して凹面となっていることにより、注射筒又は注射筒に接続したアンプル用アダプターの挿入又は抜去時における液漏れ等の恐れがないという優れた効果を奏するものである。
【図面の簡単な説明】
【００１６】
【図１】本考案の弁体を示す断面図であり、図１のａは、スリットを厚み方向から視た断面図であり、図１のｂは、スリットを幅方向から視た弁体である。
【図２】本考案の弁体の上面及び下面が曲面であることを示す断面図である。
【図３】本考案の圧縮収納した弁体の形状を示す断面図である。図３のａはスリットを厚み方向から見た断面図であり、図３のｂは、スリットを幅方向から見た断面図である。
【図４】本考案のＴ字管の収納部の底面の傾斜を示す断面図である。
【図５】図３のｂの側管にキャップを被せたところを示す断面図である。
【図６】従来の割弁を圧縮収納したＴ字管を示す切欠き斜視図である。
【図７】従来の別の割弁をＴ字管に圧縮収納したところの形状を示す断面図である。
【図８】従来のＴ字管を示す断面図である。
【図９】従来の割弁を圧縮収納したＴ字管を示す断面図である。
【考案を実施するための形態】
【００１７】
以下に、本考案の実施の形態を図面で説明するが、本考案は、これに限定されるものではない。本考案の明細書中の「弁体」と記載されているときは、Ｔ字管の弁体収納部に圧縮収納する前の状態の形状乃至構造の弁体を云い、圧縮収納した弁体を「圧縮収納弁体」と記載し、両者を区別して使用している。また本考案の実用新案登録請求の範囲及び明細書中に記載の「円筒部」とは、弁体の直径よりも短い周壁の高さを有する、いわゆる円板状部をいう。更に本考案の実用新案登録請求の範囲及び明細書中等に記載の「ニードルレス注射筒」には、ニードルレス注射筒に接続したアンプル用アダプターも含む意味に使用している。本考案は、円筒部及び該円筒部の上面の中央部に同心円状に円状凸部を有し、また前記円筒部の下面には同心円状の曲面部を有し、更に前記円状凸部の中央部にニードルレス注射器の挿入部を有する弁体において、前記上面及び前記上面の円状凸部の表面が中央部方向に傾斜した凹面を有すると共に、前記下面は中央部方向かつ外方向に傾斜した凸面を有することを特徴とするものである。
【００１８】
また本考案は、前記弁体の円筒部の上面の中央部方向に傾斜した凹面の傾斜と前記下面の中央部方向かつ外方向に傾斜した凸面の傾斜はアーチ状でありかつ厚さに対して略平行であることを特徴とするものである。
【００１９】
図１及び図２において、本考案の弁体について説明するが、図１のａは、弁体の形状を示し、スリットを厚み方向から視た断面図であり、図１のｂは、スリットを幅方向から視た弁体である。図２は、本考案の弁体の上面及び下面が曲面であることを示す断面図である。図１のａ及びｂにおいて、弁体１１は、円筒、即ち円板状部からなり、上面１３は中央部に向かって傾斜した凹面状１３ａとなっている。上面１３の中央部には同心円状の円状凸部１２が形成されている。また該円状凸部１２の上面には凹面１２ａを有する。更に弁体１１の中心部には上面１３から下面１４に貫通してスリット２５を有している。一方、弁体１１の下面１４には外方向の曲面１４ａが形成されている。更に下面１４には中央部に同心円状に凹部１５を有している。スリット２５の形状は、縦方向から視た断面（図１のａ）において、上面から下方向に平行した壁を有し、かつ下面近くで先細となっている。また幅方向から視た断面（図１のｂ）では、上面から下面方向に狭くなるすり鉢状の傾斜壁２２を有している。
【００２０】
更に図２から明らかなように、弁体１１は、上面１３は曲面Ｌ１を有し、また下面１４は曲面Ｌ２を有しており、これらの曲面Ｌ１とＬ２は平行となっている。即ち同じ極率半径を有するアーチ形状となっている。しかしながら圧縮の程度により極率半径は異なってもよい。図３に示されるように、ニードルレスＴ字管１に圧縮収納する前の弁体１１の大きさが、該Ｔ字管の弁体収納部１７の内径に対して、前記弁体の円筒部の上面の円状凸部を除いた上面部が応力がかかって水平になる大きさであることを特徴とする。即ち弁体１１は、Ｔ字管１に圧縮収納されるためＴ字管１の側管３の内径に対して僅かに大きく形成されて収納される。具体的には、通常、Ｔ字管１の内径が１０．０ｍｍ〜１０．７ｍｍのものが用いられるが、好ましくは１０．２ｍｍ〜１０．５ｍｍである。また弁体１１の外形は、１０．7ｍｍ〜１１．３であり、好ましくは一例を挙げれば、Ｔ字管１の内径が１０．３ｍｍに対して１１ｍｍである。図３は、Ｔ字管１に圧縮収納した弁体１１ａの形状を示す断面図である。図３のａはスリット２５を厚み方向から視た断面図であり、弁体１１ａは圧縮収納されているためスリット２５は両壁が密着して1本の線となっている。図３のｂは、スリット２５を幅方向から視た断面図であり、スリット２５は、傾斜２２間が圧縮されているため狭くなっている。このように圧縮収納された弁体１１ａのスリット２５の形状により、特に注射筒に接続したアンプル用アダプターの斜め刺し、挿入後の揺動範囲において大きな耐圧、耐液漏れ性能を発揮する。特に揺動の許容範囲は２ｍｍ〜４．５ｍｍという広い範囲で使用することが可能となる。また圧縮収納弁体１１ａの変形応力が内向きとなり注射筒の挿入抵抗が減少し注射筒が挿入し易くなるという優れた効果を奏するものである。図３に示されるＴ字管１は、後述する図４に示される本考案のＴ字管に係るもので、弁体収納部１７の底面は傾斜面２３が形成されている。このように傾斜面２３が形成されていることにより弁体が収納し易いので、収納時の作業性が向上するばかりでなく、弁体の下面１４と収納部の底面である傾斜面２３とが密着し、弁体１１ａの反発力が締め付け方向だけでなく耐圧方向にもかかり、従来のＴ字管に比べ隙間がないので、液漏れ等を起こさないという優れた効果を奏するものである。
【００２１】
本考案のニードルレスＴ字管１は、本管２と弁体収納部１７を有する側管３とからなり、該収納部１７の底面２３に本管に通じる流入孔を有するニードルレスＴ字管において、前記弁体収納部１７の底面２３が中央部方向に低くなるように傾斜していることを特徴とする。図４は、本考案のＴ字管の断面図である。Ｔ字管１は本管２と側管３とからなり、この側管３には弁体収納部１７を有している。この弁体収納部１７の底面は中央部に向かって下方に傾斜した傾斜面２３が形成されている。一方、図１に示される如く、弁体１１の下面１４には、外方向の曲面１４ａが形成されており、このような弁体１１を弁体収納部１７へ圧縮収納すると、弁体１１の外方向の曲面１４ａと弁体収納部１７の底面２３とは隙間なく密着して収納される。このことは圧縮収納された弁体又は圧縮収納弁体１１ａは中心方向と下向き（下面方向）に変形応力が発生し、上向き（上面方向）には変形応力は掛からない。この下向きの変形応力は傾斜した底面２３と弁体１１ａとＴ字管１の側管３の壁面の摩擦抵抗によって相殺される。即ち変形後も上向きの応力は残らないので、従来のようにキャップ４が変形することはない。したがって、弁体１１の傾斜面からなる外方向の曲面１４ａと弁体収納部１７の底面の傾斜面２３とは隙間なく密着して収納されるから、液漏れ等の不都合がない。更に変形後も上向きの応力は残らないので、保護キャップ４は熱処理等で変形するという悪影響はない。
【００２２】
図５は、本考案のニードルレスＴ字管において、側管の開口部に、中央部に挿入部を有する保護キャップを被せたニードルレスＴ字管を示す断面図である。図５において、ニードルレスＴ字管１の側管３の弁体収納部１７には圧縮収納弁体１１ａを有し、該圧縮収納弁体１１ａの円状凸部１２に嵌合して被せた保護キャップ４の表面と前記圧縮収納弁体１１ａの円状凸部１２の表面（凹面）１２ａとの境界に段差がなく、これらにおいて保護キャップ４の上面４ａと圧縮収納弁体１１ａの円状凸部１２の上面は中央部方向に低くなるように傾斜して凹面となっている。即ち保護キャップ４の上面４ａと圧縮収納弁体１１ａの円状凸部１２の上面に形成された凹面１２ａとの境界には段差がなく、かつ中央部方向に低くなるように傾斜して全体が滑らかな凹面となっており、保護キャップ４の上面４ａが圧縮収納弁体１１ａの変形応力を受けることがなく、したがって、圧縮収納弁体１１ａが外向きの応力を残していないので、滅菌処理などで熱が加わっても保護キャップ４の変形、いわゆる上面４ａの盛り上がりがない。またこのような滑らかな凹面が形成されていることにより該凹面に薬液等が溜まった場合、拭き取り易いという効果を奏する。更に本考案の弁体１１が有する形状又は構造によりＴ字管１に弁体１１を圧縮収納すると圧縮収納弁体１１ａの変形応力が内向きとなるため注射筒の挿入抵抗が減少し、その結果注射筒が挿入し易くなるという優れた効果を奏するものである。
【産業上の利用可能性】
【００２３】
本考案では、弁体の上面及び前記上面の円状凸部の表面が中央部方向に傾斜した凹面を有すると共に、前記下面は中央部方向かつ外方向に傾斜した凸面を有すること即ち弁体の上面及び下面がアーチ状でありかつ厚さに対して略平行であることによりニードルレス注射筒の挿入又は抜去時の薬液の漏れのない弁体が得られると共にシリンジが挿入し易くなるという優れた効果を奏するものであり、また過熱処理時に保護キャップが盛り上がる等の熱変形がなく、今後、実用上極めて有用な医療用機器として需要が見込まれる。
【符号の説明】
【００２４】
１  Ｔ字管又はニードルレスＴ字管
２  本管
２ａ、２ｂ  チューブ接続部
３  側管
４  保護キャップ
４ａ  上面
５  蓋体
６  蝶番
７  つまみ
８  割弁
８ａ、８ｃ  割弁
８ｂ、８ｄ  圧縮収納割弁又は圧縮収納時の割弁
８ｅ  上面（の膨らみ）
８ｆ  凹部（上面）
８ｇ  凹部（下面）
８ｈ  下面（の膨らみ）
９  スリット（ニードルレス注射筒の挿入部）
１０  割弁収納部
１１  弁体
１１ａ  圧縮収納弁体又は圧縮収納された弁体
１２  円状凸部
１２ａ  凹面
１３  上面
１３ａ  凹面状
１４  下面（凸形状）
１４ａ  外方向の曲面
１５  下面凹部
１６  弁体壁
１７  弁体収納部
２１  空隙又は隙間
２２  スリットの傾斜壁
２３  弁体収納部底面の傾斜面
２４  従来の底面（水平面）
２５  スリット
【図１】
0003189330.tif 000003
【図２】
0003189330.tif 000004
【図３】
0003189330.tif 000005
【図４】
0003189330.tif 000006
【図５】
0003189330.tif 000007
【図６】
0003189330.tif 000008
【図７】
0003189330.tif 000009
【図８】
0003189330.tif 000010
【図９】
0003189330.tif 000011